(57)【要約】【課題】タイヤ成形装置のビードロック部のビードロック用ゴムバンドがタイヤ構成部材に密着するのを防止すると共に、密着に起因するビードロック用ゴムバンドの亀裂の発生を防止する。【解決手段】タイヤ成形装置の成形ドラム上に配置したカーカスバンドの両側部を、ビードロック部によりビードコアとの間に挟んで保持するため、ビードロック部の外周面に装着するビードロック用ゴムバンド４０であって、前記ビードロック用ゴムバンド４０のタイヤ構成部材との当接面に、リッジ加工又は布加工を施し、その上にシリコン加工を施した。また、密着時に繰り返し曲げ応力が作用する屈曲支点部Ｆに断面円弧状の溝を設けた。【選択図】        図２
2012035481.tif 000002
【特許請求の範囲】
【請求項１】
タイヤ成形装置の成形ドラム上に配置したタイヤ構成部材の両側部を、ビードロック部によりビードコアとの間に挟んで保持するため、ビードロック部の外周面に装着するビードロック用ゴムバンドであって、
前記ビードロック用ゴムバンドのタイヤ構成部材との当接面にリッジ加工を施し、その上にシリコン加工を施したことを特徴とするビードロック用ゴムバンド。
【請求項２】
タイヤ成形装置の成形ドラム上に配置したタイヤ構成部材の両側部を、ビードロック部によりビードコアとの間に挟んで保持するため、ビードロック部の外周面に装着するビードロック用ゴムバンドであって、
前記ビードロック用ゴムバンドのタイヤ構成部材との当接面に布加工を施し、その上にシリコン加工を施したことを特徴とするビードロック用ゴムバンド。
【請求項３】
請求項１又は２に記載されたビードロック用ゴムバンドにおいて、
前記当接面がタイヤ構成部材と密着し、前記ビードロック部が縮径したときに屈曲されるビードロック用ゴムバンドの屈曲支点部に、歪み緩和部を備えたことを特徴とするビードロック用ゴムバンド。
【請求項４】
請求項３に記載されたビードロック用ゴムバンドにおいて、
前記歪み緩和部は、前記屈曲支点部の断面円弧状の溝であることを特徴とするビードロック用ゴムバンド。
【請求項５】
請求項３又は４に記載されたビードロック用ゴムバンドにおいて、
ビードロックの外周側となる外周部、同内周側となる内周部及び前記外周部と内周部を連結する中間部とから成る断面略Ｈ字状に形成されており、前記屈曲支点部は、前記外周部の内周側側面と前記中間部とが交差する部分であることを特徴とするビードロック用ゴムバンド。
【請求項６】
請求項１ないし５のいずれかに記載されたビードロック用ゴムバンドを有するビードロック部を備えたタイヤ成形装置。
【発明の詳細な説明】
【技術分野】
【０００１】
本発明は、成形ドラムの周りにカーカスプライやビードコア等を配置して生タイヤ（グリーンタイヤ）を成形するタイヤ成形装置に用いる、ビードロック用ゴムバンド及びビードロック用ゴムバンドを有するビードロック部を備えたタイヤ成形装置に関する。
【背景技術】
【０００２】
空気入りタイヤは、一般に、一対のビードコアや、その間に亘って延びるカーカスプライ等の複数のタイヤ構成部材からなり、それらを組み合わせて生タイヤを成形し、加硫成型して製造される。また、この生タイヤの成形装置として、従来、タイヤ構成部材が配置される成形ドラムと、成形ドラムに設けられたビードコアを固定するビードロック部と、タイヤ構成部材の中央部を拡径（膨出）させるブラダなどの手段と、を備えたタイヤ成形装置が知られている。
【０００３】
この従来のタイヤ成形装置は、成形ドラムの外周にカーカスプライ等からなる円筒状のタイヤ構成部材（カーカスバンド）を配置し、その内側のビードロック部を拡径させて、カーカスバンドの外周に配置した一対のビードコアを半径方向内側から固定する。続いて、ビードロック部を接近させることによりビードコアを互いに接近させ、同時に、ビードコア間のカーカスバンド（半径方向に重なり合うインナーライナとカーカスプライ、又は、それらと両側部に貼り付けられたサイドウォールゴム等からなる）に内圧を付加して拡径させる等して生タイヤを成形する。
このタイヤ成形装置では、カーカスバンドの両側部を、ビードロック部によりビードコアとの間に挟んで保持するため、ビードロック部の外周面にビードロック用ゴムバンドが用いられている。
【０００４】
図３は、特許文献に記載されたものではないが、従来のビードロック用ゴムバンドを備えたビードロック部を示す断面図である。
ビードロック部３０は、タイヤ成形装置の内方側のセグメント３１と同外方側のセグメント３２とから成り、セグメント３１とセグメント３２を組み合わせたときに形成される嵌合溝にビードロック用ゴムバンド４０を嵌合して固定するよう構成されている。
このビードロック部３０は、成形ドラム上のカーカスバンド７０を、それぞれ外周側に配置されるビードコア７１との間に挟んで各ビードコア７１と共に保持する。ビードロック部３０は、各セグメント３１、３２を拡径変位させて、その半径方向外側のビードロック用ゴムバンド４０の接触面（図では上側の外周面）を対向するカーカスバンド７０の内周面に接触させ、ビードコア７１の内周部との間に挟み込んで拘束し、カーカスバンド７０の側部を各々固定する。
【０００５】
図４は、図３に示すビードロック用ゴムバンド４０の拡大断面図である。
ビードロック用ゴムバンド４０は図示のように断面略Ｈ字状に構成されており、ビードロック部３０に取り付けたとき円周方向外側の比較的離型性のよいゴム材料Ｇ１からなる外周部４１と、ゴム材料Ｇ２からなり円周方向内側となる内周部４２と、外周部４１と内周部４２とを連結する中間部４３とから成っている。
ビードロック用ゴムバンド４０は図示のようにその表面は、内周部４２の内周側の面を除き全体に渡って繊維補強材で構成された繊維補強層４４で補強されている。また、外周部４１のタイヤ構成部材（カーカスバンド）との当接面には、比較的離型性のよいゴムカバーＧ３が配置されて、その上に密着防止のためのシリコン加工４５が施されている。
【０００６】
再び図３において、上記ビードロック用ゴムバンド４０は、生タイヤ成型時に、ビードロック部３０の拡径にしたがって、カーカスバンド７０に当接してこれをビードコア７１に対して押し付け、縮径にしたがってカーカスバンド７０から離れる動作を繰り返す。
この場合、ビードロック用ゴムバンド４０のカーカスバンド７０との当接面は、シリコン加工が施されているため当初は押圧時にカーカスバンド７０に密着することはないが、カーカスバンド７０との接離動作を繰り返すうちに、シリコンが比較的早期に摩滅する。シリコンが摩滅すると、ビードロック用ゴムバンド４０の外周面をカーカスバンド７０に押圧する際にその未加硫のゴム同士が密着し、ビードロック部３０を半径方向内側に移動したとき、つまり縮径しても剥離しなくなる。
【０００７】
図５Ａはカーカスバンドに密着したビードロック用ゴムバンド４０が、ビードロック部３０の縮径に伴って屈曲した状態を示す断面図である。即ち、ビードロック用ゴムバンド４０がカーカスバンド７０に密着すると、ビードロック用ゴムバンド４０は、密着したまま縮径するビードロック部３０に引っ張られて、図示のように、その外周部４１と上記中間部４３との付け根の部分Ｆ（屈曲支点部という）を中心に開くように屈曲して、その外周部４１の裏面がセグメント３１の上面から引き離される。
なお、図５Ｂはビードロック用ゴムバンド４０がカーカスバンドに押し付けられた状態を示す断面図である。ビードロック部３０を拡径したときは、図５Ｂに示すように、ビードロック用ゴムバンド４０の外周部４１の表面はカーカスバンド７０を介してビードコア７１に押し付けられて圧縮しその表面に段差が生じる。
【０００８】
ビードロック部３０が図示しない拡縮機構により拡縮するに伴い、ビードロック用ゴムバンド４０が上記の動作を繰り返すと、上記屈曲支点部Ｆは繰り返して集中応力が作用して疲労し、遂には亀裂が発生する。
この問題を解消するためには、ビードロック用ゴムバンド４０とタイヤ構成部材であるカーカスバンド７０との密着防止をより強固にすればよいが、従来から知られた密着防止手段としては、例えば、ゴムシートの表面のタイヤビード面と接触する部分の表面に露出するように繊維コード層を配設したもの（特許文献１参照）、或いはビードロック用ゴムバンドを離型性の優れた樹脂材料例えばポリウレタン樹脂で構成したり或いはゴム中に短繊維を配合させて密着防止処理を行ったもの（特許文献２参照）、或いはその表面に液体シリコンを塗布したり粗面加工を行ったもの（特許文献３参照）等がある。
【０００９】
しかしながら、特許文献１、２に記載されているような特殊な加工を施した材料を用いたり、或いは特許文献３に記載されているように表面に密着防止用の材料を塗布したものは、いずれも繰り返し使用する間に摩滅して比較的早期に密着が発生する虞がある。そのため、上記従来の手段をビードロック用ゴムバンドに適用しても、それだけでは上記屈曲支点部Ｆに亀裂が発生するのを防止することはできない。
【先行技術文献】
【特許文献】
【００１０】
【特許文献１】実願平３−４７５３３（実開平５−４２３号）の明細書及び図面
【特許文献２】特開２００４−９４５７号公報
【特許文献３】特開２００１−２９３７９３号公報
【発明の概要】
【発明が解決しようとする課題】
【００１１】
本発明は、上記従来のビードロック用ゴムバンドの問題に鑑みてなされたものであって、その目的は、ビードロック用ゴムバンドとタイヤ構成部材との密着を防止すると共に、ビードロック用ゴムバンドの上記屈曲支点部に亀裂が発生しないようにすることである。
【課題を解決するための手段】
【００１２】
本発明は、タイヤ成形装置の成形ドラム上に配置したタイヤ構成部材の両側部を、ビードロック部によりビードコアとの間に挟んで保持するため、ビードロック部の外周面に装着するビードロック用ゴムバンドであって、前記ビードロック用ゴムバンドのタイヤ構成部材との当接面にリッジ加工を施し、その上にシリコン加工を施したことを特徴とするビードロック用ゴムバンドである。
本発明は、また、上記ビードロック用ゴムバンドを有するビードロック部を備えたタイヤ成形装置である。
【発明の効果】
【００１３】
本発明によれば、ビードロック用ゴムバンドとタイヤ構成部材とが密着するのを防止すると共に、ビードロック用ゴムバンドに歪み緩和加工を施したことにより、ビードロック用ゴムバンドの耐久性を大幅に向上することができる。
【図面の簡単な説明】
【００１４】
【図１】本実施形態のタイヤ成形装置の概略構成を示す要部断面図であり、その水平軸線を含む面で切断して一方側を示す。
【図２】図２Ａはビードロック用ゴムバンドを拡大して模式的に示す要部断面図であり、図２Ｂはそのリッジ加工面、また、図２Ｃはその布加工面を示す斜視図である。
【図３】従来のビードロック用ゴムバンドを備えたビードロック部を示す断面図である。
【図４】従来のビードロック用ゴムバンドを示す断面図である。
【図５】図５Ａはカーカスバンドに密着したビードロック用ゴムバンドが、ビードロック部の縮径に伴って屈曲した状態を示す断面図、図５Ｂはビードロック用ゴムバンドがカーカスバンドに押し付けられた状態を示す断面図である。
【発明を実施するための形態】
【００１５】
以下、本発明の一実施形態について説明する。
まず、本実施形態に係るビードロック用ゴムバンドを適用するタイヤ成形装置について説明する。
本タイヤ成形装置は、上記した従来のタイヤ成形装置と同様に、タイヤ構成部材を組み合わせて生タイヤを成形する、例えば成形ドラム上で生タイヤを直接成形して空気入りラジアルタイヤ等を製造する成形装置である。
【００１６】
図１は、本実施形態のタイヤ成形装置の概略構成を示す要部断面図であり、その水平軸線を含む面で切断して一方側（図では上方側）を示している。
タイヤ成形装置１は、図示のように、軸線周りに回転可能な略円筒状の成形ドラム１０と、成形ドラム１０を軸線周りに所定速度で回転等させる成形ドラム１０の駆動装置（図示せず）と、を備えている。
【００１７】
成形ドラム１０は、中央面ＣＬを挟んで左右対称に構成され、かつ成形ドラム１０には、少なくともカーカスプライを含む筒状のカーカスバンド７０が配置される。また、一対の環状のビードコア（ここでは、ビードフィラ７２が半径方向外側に向かって設けられたビードコア）７１が、カーカスバンド７０の外周側の両側部に配置されている。
【００１８】
成形ドラム１０には、その中央部に配置された膨張変形可能な袋状のブラダ１１と、その内側の中央面ＣＬ上に配置された拡縮径可能な環状のコア体１２と、それらを挟んで軸線方向の両側に各々配置された一対の折り返し手段２０及びビードロック部３０とが、それぞれカーカスバンド７０の内側となる所定位置に設けられている。
【００１９】
折り返し手段２０は、ビードロック部３０に隣接して軸線方向外側に配置され、ビードロック部３０とともに軸線方向の内側（矢印Ｘ方向）に移動して、その外面上のカーカスバンド７０の側部を各々ビードコア７１の周りに折り返す。また、折り返し手段２０は、例えば、縮閉状態から同期して放射状に拡開してカーカスバンド７０の側部を折り返し方向に変形させる複数の折り返しフィンガや、成形ドラム１０の外周面位置から膨張してカーカスバンド７０の側部を同様に変形させる折り返しブラダからなる。ここでは、折り返し手段２０は、それぞれ膨張可能な２つの折り返しブラダ２１、２２により構成され、それらが縮小して半径方向に重なり合った円筒状の状態から各々環状に膨張することで、カーカスバンド７０の側部を持ち上げるようにして、周方向の全体に亘って折り返す。
【００２０】
ビードロック部３０は、上記した従来のビードロックと同様であり、全体として略環状をなす複数の円弧状のセグメント３１、３２から成り、それらが図示しない駆動機構により同期して半径方向（図ではＹ方向）に移動して拡径及び縮径し、それぞれビードコア７１を半径方向内側から固定して支持する。また、両ビードロック部３０は、成形ドラム１０の軸線方向（Ｘ方向又はその逆方向）に中央面ＣＬを挟んで対称に移動して互いに接近又は離間し、一対のビードコア７１を固定した状態で、それらを中央面ＣＬ側へ移動させて互いに接近又は離間させる。
【００２１】
次に、本発明の実施形態に係るビードロック用ゴムバンド４０について説明する。
図２Ａは、このビードロック用ゴムバンド４０を拡大して模式的に示す要部断面図であり、円周方向から見た１つのビードロック用ゴムバンド４０の略Ｈ字状の断面形状を示し、従来と同様の部分には同様の符号を付している。また、図２Ｂはそのリッジ加工面を、また、図２Ｃはその布加工面を示す斜視図である。
【００２２】
本実施形態に係るビードロック用ゴムバンド４０は、その外周部４１のカーカスバンド７０との当接面には、これをカーカスバンド７０に押し付けたときの密着防止の目的で、リッジ加工（尖端部を有する突条を形成する加工）又は布加工（布の張り付け加工）が施され、その突起加工面或いは布加工面の上に従来と同様にシリコンを塗布する加工が施されている。
即ち、ビードロック用ゴムバンド４０のカーカスバンド７０との当接面、例えば、図２Ｂに示すようにその比較的離型性のよいカバーゴムＧ３には、リッジ加工により先端が尖った複数の突条部（リッジ）Ｌが形成されており、これによって、従来のように単に粗面加工を施した場合に比してカーカスバンド７０との当接が線接触に近い状態を実現し、密着力を大幅に低減することができる。
したがって、表面に塗布したシリコン層が摩滅して、生ゴム同士が密着しても、その密着力は大幅に低減されているから、ビードロック用ゴムバンド４０をカーカスバンド７０から容易に剥離することができる。そのため、従来のように、ビードロック部３０が縮径したときに、ビードロック用ゴムバンド４０の外周部４１を屈曲支点部Ｆの回りで屈曲させることはない。
【００２３】
また、図２Ｃに示すように、ビードロック用ゴムバンド４０の上記当接面に布加工Ｃ（布を貼り付ける加工）を施してもよい。なお、使用する布としては、伸縮性のあるナイロン繊維やフッ素繊維からなる布が好ましい。この構成を採ることにより、その上に塗布されたシリコン層が摩滅して、布が露出した状態でカーカスバンド７０に押し付けても、従来のように、生ゴム同士の当接による密着力に比してその密着力を大幅に低減することができ、また、特許文献１に記載された繊維コードを露出させた場合に比べても、ビードロック用ゴムバンド４０の当接面全体に布加工を施すことにより、一層上記密着力を低減することができる。したがって、この場合も、ビードロック用ゴムバンド４０の外周部４１がカーカスバンド７０密着したまま縮径して、外周部４１を屈曲支点部Ｆの回りで屈曲させることは大幅に抑制される。
また、これとは別に、本実施形態では、ビードロック用ゴムバンド４０の外周部４１の内側の屈曲支点部Ｆ、つまり外周部４１と上記中間部４３との付け根の部分に、歪みが集中するのを防止するための歪み緩和加工、ここでは図示のような断面が円弧状をなす溝Ｍが形成されている。
【００２４】
この溝Ｍにより、作用する曲げ応力が上記屈曲支点部Ｆに集中するのを緩和し、仮に、ビードロック用ゴムバンド４０の外周部４１上に設けたシリコン、更にリッヂや布が摩滅して、ビードロック用ゴムバンド４０の外周部４１がカーカスバンド７０に対する押圧と密着による変形を繰り返しても、上記屈曲支点部Ｆの部分で亀裂が発生することを大幅に抑制することができる。
【００２５】
本実施形態のビードロック用ゴムバンド４０を用いたことにより、従来のようにカーカスバンド７０との密着により、ビードロック用ゴムバンド４０に亀裂が生じることが大幅に抑制され、生タイヤ成型の成型効率を向上することができる。
本実施形態のビードロック用ゴムバンド４０は、そのカーカスバンドとの当接面に布加工またはリッジ（突条）加工を施し、さらに、上記屈曲支点部Ｆに歪み緩和加工を施したことにより、従来のものとの対比で耐久性を大幅（実験では約３０％）向上させることができる。
【００２６】
なお、以上の実施形態では、ビードロック用ゴムバンドは断面Ｈ状のものとしてかつ、それぞれゴム材料Ｇ１〜Ｇ３を用いた構造のものとして説明したが、ビードロック用ゴムバンドの断面形状は、要するにカーカスバンドとの当接面と、その当接面がカーカスバンドに密着したときに任意の屈曲支点部の回りで開閉状に変形を繰り返す構造のものであれば全て適用可能である。
したがって、ビードロック用ゴムバンドは、上記断面Ｈ状のものに限定されない。また、その構成材料もゴムの代替物であってもよい。
【符号の説明】
【００２７】
１・・・タイヤ成形装置、１０・・・成形ドラム、１１・・・ブラダ、１２・・・コア体、２０・・・折り返し手段、２１，２２・・・折り返しブラダ、３０・・・ビードロック部、３１，３３・・・セグメント、４０・・・ビードロック用ゴムバンド、７０・・・カーカスバンド、７１・・・ビードコア。
【図１】
2012035481.tif 000003
【図２】
2012035481.tif 000004
【図３】
2012035481.tif 000005
【図４】
2012035481.tif 000006
【図５】
2012035481.tif 000007